(57)【要約】【課題】  墓は屋外で風雨に曝されると、花立や墓石が光沢を失ったり、汚れたりする。【解決手段】  本考案のお墓用花台閉塞蓋は、お墓の花台の花立差込穴を閉塞する花立差込穴閉塞蓋であり、この閉塞蓋が花台の石材と同じ石材により形成され、花立差込穴を閉塞できる形状及び大きさに形成されたものである。この花立差込穴閉塞蓋の外形を花立差込穴に差込まれる花立の鍔よりも小さくすることができる。また、花立差込穴の上に被せる蓋の下面に、花立差込穴内に差込み可能な差込部を形成したものとすることもできる。花立差込穴の上に被せる蓋の上面又は蓋の周縁に取っ手を形成し、取っ手を指で持つことのできる突起又は窪み又は立体的装飾形状とすることができる。本考案のお墓の花台は、花立を取り外したお墓の花台の花立差込穴を、前記花立差込穴閉塞蓋で閉塞したものである。【選択図】図１
0003127151.tif 000002
【実用新案登録請求の範囲】
【請求項１】
お墓の花台の花立差込穴を閉塞する花立差込穴閉塞蓋であり、この閉塞蓋が花台の石材と同じ石材により形成され、花立差込穴を閉塞できる形状及び大きさであることを特徴とする花立差込穴閉塞蓋。
【請求項２】
請求項１記載の花立差込穴閉塞蓋において、蓋の外形が花立差込穴に差込まれる花立の鍔よりも小さい外形であることを特徴とする花立差込穴閉塞蓋。
【請求項３】
請求項１又は請求項２記載の花立差込穴閉塞蓋において、花立差込穴の上に被せる蓋の下面に、花立差込穴内に差込み可能な差込部が形成されたことを特徴とする花立差込穴閉塞蓋。
【請求項４】
請求項１乃至請求項３のいずれかに記載の花立差込穴閉塞蓋において、花立差込穴の上に被せる蓋の上面又は蓋の周縁に取っ手が形成され、取っ手は指で持つことのできる突起又は窪み又は立体的装飾形状であることを特徴とする花台の墓石用花台閉塞蓋。
【請求項５】
花立を取り外したお墓の花台の花立差込穴を、請求項１乃至請求項４のいずれかに記載の墓石用花台閉塞蓋で閉塞したことを特徴とする花台。
【考案の詳細な説明】
【技術分野】
【０００１】
本考案はお墓の花台の上面に開口する花立差込穴を閉塞する花立差込穴閉塞蓋とそれで閉塞したお墓の花台に関するものである。
【背景技術】
【０００２】
近年、生前に自分の墓（寿陵墓）を購入する人が多くなっており、購入する世代の多くは５０代後半〜６０代前半の人である。お墓の前或いは側方に設置されている花台１１（図３）には花立差込穴１２が開口されており、花立差込穴１２にはステンレス製の花立１３を差込み、その中に花を差して供えることができるようにしてある。花立１３は有底の筒部１４の上端開口縁１６が外側広がりに形成され、上端開口縁１６の下に鍔１５が形成されており、鍔１５は外径を花立差込穴１２よりも大きくして、筒部１４を花立差込穴１２に差込むと花立差込穴１２の外周に被さるようにしてある。花立１３は寿陵墓であっても花台１１にセットされているのが一般的である。
【考案の開示】
【考案が解決しようとする課題】
【０００３】
完成した寿陵墓を本人に引き渡してから、本人が実際にその墓に入るまでには２０〜３０年も先のことが多い。寿陵墓はその間、屋外で風雨に曝されるため、花立差込穴１２にステンレス製の花立１３を差し込んでおくと、寿陵墓を購入した人がその墓に入る頃には、花立１３が光沢（艶）を失ったり、汚れたり、花立内に雨水やごみが入り、花立内に苔、藻、ボウフラ等が発生したり、溜まった汚水が溢れ出て墓石にシミが生じて古びた感じになることがある。
【０００４】
花立１３の劣化や汚れを防止するためには花立１３を花立差込穴１２に差し込まないでおけばよいが、そのようにすると上方開口の花立差込穴１２にゴミや雨水が入って中が汚れることがあり、場合によっては雨水が溢れて花台や周りの墓台（下台や上台）が汚れることもある。
【課題を解決するための手段】
【０００５】
本考案のお墓用花台閉塞蓋は請求項１記載のように、お墓の花台の花立差込穴を閉塞する花立差込穴閉塞蓋であり、この閉塞蓋が花台の石材と同じ石材により形成され、花立差込穴を閉塞できる形状及び大きさに形成されたものである。この花立差込穴閉塞蓋の外形を花立差込穴に差込まれる花立の鍔よりも小さくすることができる。また、花立差込穴の上に被せる蓋の下面に、花立差込穴内に差込み可能な差込部を形成したものとすることもできる。花立差込穴の上に被せる蓋の上面又は蓋の周縁に取っ手を形成し、取っ手を指で持つことのできる突起又は窪み又は立体的装飾形状とすることができる。
【０００６】
本考案のお墓の花台は、花立を取り外したお墓の花台の花立差込穴を、前記花立差込穴閉塞蓋で閉塞したものである。
【考案の効果】
【０００７】
本考案の花立差込穴閉塞蓋は次のような効果がある。
（１）蓋が花台の花立差込穴を閉塞する大きさに形成されているので、蓋によって花台の花立差込穴を閉塞して花立差込穴に汚水やごみが入ることを防ぐことができ、苔や藻やボウフラの発生を防ぐことができる。溜まった汚水によって墓石にシミが生じることもなくなる。そのため、長期に亘って墓の建立当時の艶や美しさを保つことができるようになり、寿陵墓を購入した本人がその墓に入る場合に艶があって美しい墓に入ることができるようになる。
（２）不使用時には花台の花立差込穴から花立を取り外してその花立差込穴を蓋で閉塞し、花を立てるときに蓋を取外して花立を花立差込穴に差込んでそれに花を立てることができるため、ステンレス製の花立が劣化することがなく、艶のある花立を使用することができる。
（３）蓋が花台と同じ石材から取り出した石製であるため、花台とそれに被せた蓋とが調和して違和感がなく体裁が良い。又、重いため花立差込穴の上に載せて被せておくだけでも強風で煽られて位置ずれすることが無く、花立差込穴を確実に閉塞することができる。
（４）蓋を花立差込穴よりも大きく、花立差込穴に差込まれる花立の鍔よりも小さくすれば、花立差込穴に蓋を被せれば花立差込穴を確実に覆うことができ、花立差込穴にゴミや雨水等が入りにくくなる。また、花立差込穴に蓋を長期間被せておくことにより花立差込穴の開口部周縁に蓋の被せ跡が付いたり、水垢の汚れ等が付いたりしても、蓋を外した花立差込穴に花立を差込めばそれら被せ跡や水垢の汚れ等が隠れるため、それら汚れが目につかず体裁がよい。
（５）蓋の下面に花立差込穴内に差込み可能な差込部を形成してあるため、差込部を花立差込穴内に差込むことができ、蓋が花立差込穴から位置ずれせず、花立差込穴を確実に閉塞することができる。
（６）蓋の上又は蓋の周縁に取っ手を設け、取っ手は指で持つことのできる突起又は窪み又は立体的装飾形状としてあるので、石材製の重い蓋であっても取っ手を指で持って容易に被せたり取り外したりすることができる。取っ手を立体的装飾形状とした場合は、蓋としての機能だけでなく、花台の飾りにもなる。
【０００８】
本考案のお墓の花台は花立を外した花立差込穴を本考案の前記花立差込穴閉塞蓋で閉塞したので、花立が汚れたり、品質劣化したりしないのは勿論のこと、花台が風雨に曝されても花立差込穴に水が溜まることがなく、苔や藻やボウフラの発生を防ぐことができる。
【考案を実施するための最良の形態】
【０００９】
（花立差込穴閉塞蓋の実施形態１）
本件出願のお墓の花台の花立差込穴閉塞蓋の実施形態の一例を図１（ａ、ｂ）、図２に基づいて説明する。この花立差込穴閉塞蓋１はお墓１０の花台１１の花立差込穴１２を閉塞する蓋２と、その底面に突設されている差込部３と、蓋２の上面に突設されている取っ手４を備えている。
【００１０】
前記蓋２は花台１１の花立差込穴１２の上に被せてそれを閉塞できる円盤状であり、花台１１の石材と同じ石材から取り出した石材で作られている。この蓋２の径は花立差込穴１２を閉塞できる大きさであるが、花立差込穴１２に差し込んで使用する花立１３（図３）の鍔１５よりは小径としてある。この大きさにすることにより蓋２で花立差込穴１２を閉塞することができ、蓋２を取り外した花立差込穴１２に花立１３を差し込むと、花立差込穴１２の外周に残る蓋２の跡（汚れ）２０が花立１３の鍔１５で隠れる。
【００１１】
前記差込部３は花立差込穴１２よりも小径の円柱状にして、花立差込穴１２内に差込み可能としてある。この差込部３も蓋２を取り出した石材と同じ石材（花台１１と同じ石材）で作られており、蓋２と別に作って蓋２の裏面中央部に接着剤で固定してある。蓋２への差込部３の固定はネジ止めとか他の取り付け方法とすることもでき、また、蓋２と一体に作ることもできる。差込部３を花立差込穴１２内に差込むことにより地震や強風がきても蓋２が位置ずれせず、花立差込穴１２の閉塞が確実になる。
【００１２】
前記取っ手４は蓋２と一体に作られており、図１に示すように半円弧状の肉厚板状の指で持ち易い形状にしてある。この取っ手４は、蓋２を取り出した石材と同じ石材（花台１１と同じ石材）で蓋２と別に作って蓋２の上面中央部に接着剤で固定することもできる。蓋２への取っ手４の固定はネジ止めとか他の取り付け方法とすることもでき。この取っ手４を指で持ち上げることにより蓋２を手軽に持ち上げることができる。
【００１３】
（花立差込穴閉塞蓋の実施形態２）
蓋２は花立差込穴１２を閉塞可能な大きさ及び形状であれば、図１（ａ、ｂ）に示す円盤状には限られず、任意の大きさ及び形状とすることができる。従って、例えば、蓋２を取り外したときに花台１１の花立差込穴１２の周囲に残る蓋２の跡の汚れ２０を花立１３の鍔１５で隠す必要がなければ、花立１３（図３参照。）の鍔１５より大きな径としたり、四角形とかハート型などの任意形状にしたり、花、鳥、動物、仏像等の立体的な装飾形状としたりすることも可能である。
【００１４】
（花立差込穴閉塞蓋の実施形態３）
取っ手４の形状や大きさも指や手で持って蓋２を持ち上げることが可能であれば、図１（ａ、ｂ）に示す形状に限らず任意形状とすることができ、例えば、蓋２の外周部に形成した窪みとしたり、花、鳥、動物、仏像等の立体的な装飾形状とすることもできる。
【００１５】
（花立差込穴閉塞蓋のその他の実施形態）
本考案の花立差込穴閉塞蓋においては、差込部３と取っ手４の一方又は双方を省略して円盤状の蓋２だけとすることもできる。差込部３を省略した場合は、蓋２を花台差込穴１２上に載せることによって花台差込穴１２を閉塞する。取っ手４を省略した場合は蓋２の外周面を指で持って蓋２を持ち上げることとなる。
【００１６】
本考案の花立差込穴閉塞蓋においては、差込部３は、体裁を問わない場合は花台１１とは別の素材製とすることもできる。
【００１７】
（お墓の花台の実施形態１）
本件出願のお墓の花台の実施形態の一例を図２に基づいて説明する。図２において１０はお墓、１７は下台、１８は上台、１９は竿石、１１が花台である。花台１１には上面開口の花立差込穴１２が形成されており、本考案ではこの花立差込穴１２に前記した花立差込穴閉塞蓋１の蓋２の底面の差込部３を差し込んで蓋２で花立差込穴１２の開口部を被覆してある。
【００１８】
花立差込穴１２に花立１３を差し込む場合は、取っ手４を指で持って花立差込穴閉塞蓋１を持ち上げ、差込部３を花台差込穴１２から引き抜いて花立差込穴閉塞蓋１を花立差込穴１２から取外し、その花立差込穴１２内に図３に示すようにステンレス製の花立１３を差込んでセットし、その花立１３に花を差す。この場合、花立１３の鍔１５が花立差込穴１２の上面に支持されて安定する。
【００１９】
花立１３から花を抜いてから次回花を供えるまでの間は、花立１３を花立差込穴１２から抜き、空になった花立差込穴を前記花立差込穴閉塞蓋１で閉塞して、花立１３を家に持ち帰って保管しておくこともできる。
【図面の簡単な説明】
【００２０】
【図１】（ａ）は本考案の花立差込穴閉塞蓋の実施形態の一例を示す斜視図。（ｂ）は、（ａ）に示す花立差込穴閉塞蓋によってお墓の花台の花立差込穴を閉塞する様子を示す分解斜視図。
【図２】図１に示す花立差込穴閉塞蓋で花台の花立差込穴を閉塞した墓石を示す斜視図。
【図３】お墓の花台の花立差込穴に花立を差込む様子を示す分解斜視図。
【符号の説明】
【００２１】
１  花立差込穴閉塞蓋
２  蓋
３  差込部
４  取っ手
１０  お墓
１１  花台
１２  花立差込穴
１３  花立
１４  筒部
１５  鍔
１６  上端開口縁
【図１】
0003127151.tif 000003
【図２】
0003127151.tif 000004
【図３】
0003127151.tif 000005
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
お墓の花台の花立差込穴を閉塞する花立差込穴閉塞蓋であり、この閉塞蓋が花台の石材と同じ石材により形成され、花立差込穴を閉塞できる形状及び大きさであることを特徴とする花立差込穴閉塞蓋。
【請求項２】
請求項１記載の花立差込穴閉塞蓋において、蓋の外形が花立差込穴に差込まれる花立の鍔よりも小さい外形であることを特徴とする花立差込穴閉塞蓋。
【請求項３】
請求項１又は請求項２記載の花立差込穴閉塞蓋において、花立差込穴の上に被せる蓋の下面に、花立差込穴内に差込み可能な差込部が形成されたことを特徴とする花立差込穴閉塞蓋。
【請求項４】
請求項１乃至請求項３のいずれかに記載の花立差込穴閉塞蓋において、花立差込穴の上に被せる蓋の上面又は蓋の周縁に取っ手が形成され、取っ手は指で持つことのできる突起又は窪み又は立体的装飾形状であることを特徴とする花立差込穴閉塞蓋。
【請求項５】
花立を取り外したお墓の花台の花立差込穴を、請求項１乃至請求項４のいずれかに記載の花立差込穴閉塞蓋で閉塞したことを特徴とする花台。